(57)【要約】【課題】挿入時は複数のクラスターピンに対して一体的作業ができ、抜去時はクラスターピン単位で各個作業がおこなえるコネクタを提供する。【解決手段】カバーハウジング１の天板１０の矩形状部分には受け部１１と、ソケット保持手段が備わる。受け部１１は上壁１５、外側壁１６、内側壁１７、後壁１８、前壁１９、受け口１１ａからなる。受け部１１は端子収容口２８ａに蓋をする姿勢でソケットＳを収容する。ソケット保持手段は受け部１１の外側壁１６の外係合片１３及び内側壁１７に２個並置して備わる内係合片１４と、対応するソケットハウジング２の外内側壁２２、２３に備わる係合突起２６ａ、２６ｂとの協働により、ソケットＳを着脱自在に保持する。挿入時にはソケットＳを保持して一体的作業をし、抜去時にはカバーハウジング１から分離してソケット単体で作業する。【選択図】図１
2012028036.tif 000002
【特許請求の範囲】
【請求項１】
軸状の接続部材を接続するためのコネクタ構造において、
ソケットハウジングと、このソケットハウジングに収容された一端で電線に連結した接続端子とを有するソケットと、このソケットを着脱可能に保持するカバーハウジングとを備え、
前記ソケットハウジングは一面に挿入孔と、前記接続端子を収容する端子収容室とを備えた箱体で、
前記カバーハウジングは、前記ソケットの挿入孔を前記接続部材に向けて、この挿入孔の中心が接続部材の軸芯に一致する姿勢でソケットを位置決めするための受け部と、前記受け部で位置決めされた姿勢でソケットを着脱可能に保持するためのソケット保持手段とを含み、前記ソケットは少なくとも一つの側面には前記ソケット保持手段と協働する保持手段を備え、
複数のソケットがカバーハウジングの受け部で位置決めされて、その姿勢でソケット保持手段で保持されたときは、軸状の接続部材に対して複数のソケットを一体的に操作でき、複数のソケットがカバーハウジングの受け部から分離されたときは、軸状の接続部材に対してソケット単体で操作できるコネクタ構造。
【請求項２】
前記ソケットは箱体の一面に前記端子収容室に連通した開口部を備え、前記受け部がこの開口部に蓋をするように被さる構成の請求項１に記載のコネクタ構造。
【請求項３】
前記ソケット保持手段及び対応する前記ソケットの保持手段が係合片で構成され、前記ソケットの係合片と前記カバーハウジングの係合片とが係止して前記ソケットが保持される請求項１又は請求項２に記載のコネクタ構造。
【請求項４】
前記ソケット保持手段が前記受け部に備わっている請求項１から３のうち１項記載のコネクタ構造。
【請求項５】
前記軸状の接続部材が周面にタブ端子を接合した構成で、ソケットに収容される接続端子がタブ端子に対応した構成の嵌合部を備える請求項１から４に記載の内１項記載のコネクタ構造。
【請求項６】
軸状の接続部材を接続するためのコネクタの挿抜方法において、ソケットハウジングと、このソケットハウジングに収容された一端で電線に連結した接続端子とを有するソケットと、このソケットを着脱可能に保持するカバーハウジングとを備え、
前記ソケットハウジングは一面に挿入孔と、前記接続端子を収容する端子収容室とを備えた箱体で、
前記カバーハウジングは、前記ソケットの挿入孔を前記接続部材に向けて、この挿入孔の中心が接続部材の軸芯に一致する姿勢でソケットを位置決めするための受け部と、前記受け部で位置決めされた姿勢でソケットを着脱可能に保持するためのソケット保持手段とを含み、
前記ソケットは少なくとも一つの側面には前記ソケット保持手段と協働する保持手段を備え、
挿抜作業のうち一方の作業の際、複数のソケットをカバーハウジングの受け部で位置決めするステップと、その姿勢でソケット保持手段で保持するステップとで、複数のソケットを一体的に操作し、他方の作業の際、複数のソケットをカバーハウジングの受け部から分離するステップで、ソケット単体で操作するコネクタの挿抜方法。
【請求項７】
挿入作業の際ソケットを一体的に操作し、抜去作業の際ソケットを分離して操作する請求
項６に記載のコネクタの挿抜方法。
【発明の詳細な説明】
【技術分野】
【０００１】
本発明は、冷蔵庫、エアーコンディショナーなどに使用される密閉型コンプレッサー内のモーターに外部電力を供給するためのコネクタに関し、特にクラスターピンに接続するコネクタのハウジング構造に関する。
【背景技術】
【０００２】
冷蔵庫やエアーコンディショナーに備わる密閉型コンプレッサーには、内部に収納されたモーターに電力を供給するための端子（クラスターピン）がその容器表面に備わる。一般的にクラスターピンは導電性を有する金属製で断面円形の柱状構造を持ち、絶縁性素材を含む台座に同心円状に等間隔で植設されている。
【０００３】
クラスターピンと対応するコネクタとの電気的機械的接続は、柱状の本体からなるクラスターピンがコネクタの接続端子の嵌合孔に摺接し、摺接状態のクラスターピンの周面に嵌合孔に臨むバネ片が弾接して、ここに接点が構成されることによるのが一般的である。
【０００４】
このようなコネクタの接続構成として、単ピン対応のコネクタをピンの数だけ揃えて対応する場合があるほか、技術文献１記載の技術のように配置された複数のクラスターピンに対し、接続端子を夫々対応する位置に収容固定して一体的にハウジングに組み込んだコネクタを用いる場合がある。
【先行技術文献】
【特許文献】
【０００５】
【特許文献１】特開平１０−３３８１９６号公報
【発明の概要】
【発明が解決しようとする課題】
【０００６】
このような複数の接続端子を組み込んだコネクタは、適用箇所がモーター駆動用で電力を供給する部分の接続用だから接続の信頼性を確保するために、接触圧力は高い安全率を乗じて設計されている。また接続部分の構造上、挿入時よりも脱抜時に要する力は一般的に大きく、保守点検時に伴う抜去作業は組み立て時の挿入作業よりもピン当たりの負担は増す傾向にある。
【０００７】
このような機械的特性を備えるコンプレッサー用コネクタに関し、種々の工夫に富んだ技術が知られている。例えば技術文献１記載の技術にあるように３個の接続端子を一体的に組み込むコネクタがある。この場合、挿入時には一体的作業が可能になり効率はよくなるが、保守点検時におこなう抜去作業に際しては、３個のピンを一体的に操作することによる作業負担の増加が看過できない問題として挙げられる。
【０００８】
一方、ピン毎にコネクタが対応する場合は、挿入力、抜去力ともに複数まとめておこなう場合に比べて緩和されるが、その分作業回数が増えるという問題がある。ピン毎とはいえ挿入時に要する力は大きく、ただでさえ繰り返しが連続する組み立て作業にあっては作業回数の増加は極力避けなければならない。
【０００９】
本発明は、上述した事情に鑑みてなされたものであり、その目的は、挿入時には複数備わるクラスターピンに対して一体的に挿入作業ができ、抜去時にはクラスターピン単位で各個毎の抜去作業ができるコネクタを提供することにある。
【課題を解決するための手段】
【００１０】
上述した問題を解決するため、本発明にかかるコネクタ構造は、下記（１）から（７）を特徴としている。
【００１１】
本発明にかかるコネクタ構造は、（１）軸状の接続部材を接続するためのコネクタ構造において、ソケットハウジングと、このソケットハウジングに収容された一端で電線に連結した接続端子とを有するソケットと、このソケットを着脱可能に保持するカバーハウジングとを備え、前記ソケットハウジングは一面に挿入孔と、前記接続端子を収容する端子収容室とを備えた箱体で、前記カバーハウジングは、前記ソケットの挿入孔を前記接続部材に向けて、この挿入孔の中心が接続部材の軸芯に一致する姿勢でソケットを位置決めするための受け部と、前記受け部で位置決めされた姿勢でソケットを着脱可能に保持するためのソケット保持手段とを含み、前記ソケットは少なくとも一つの側面には前記ソケット保持手段と協働する保持手段を備え、複数のソケットがカバーハウジングの受け部で位置決めされて、その姿勢でソケット保持手段で保持されたときは、軸状の接続部材に対して複数のソケットを一体的に操作でき、複数のソケットがカバーハウジングの受け部から分離されたときは、軸状の接続部材に対してソケット単体で操作できることを特徴とする。
【００１２】
（１）の発明によれば、カバーハウジングは、ソケットの挿入孔を接続部材に向けて、挿入孔の中心が接続部材の軸芯に一致する姿勢でソケットを位置決めするための受け部と、受け部で位置決めされた姿勢でソケットを着脱可能に保持するためのソケット保持手段とを含み、ソケットは少なくとも一つの側面にはソケット保持手段と協働する保持手段を備えるので、状況に応じてあるときは、コネクタを接続部材に対して一体的に作業することができ、またあるときは、着脱可能なソケットをカバーハウジングから分離してソケット単体で作業することができる。
【００１３】
より好適なコネクタ構造は、（２）ソケットは箱体の一面に端子収容室に連通した開口部を備え、受け部がこの開口部に蓋をするように被さる構成をとることを特徴とする。
【００１４】
（２）の発明によれば、受け部がソケットの端子収容室の開口部に蓋をするように被さる構成なので、箱体のソケットの位置決めがし易く、且つ開口部に蓋ができるので端子収容室への水滴や異物等の侵入を防げる。
【００１５】
本発明はソケットを開口部が備わるものに限定するものではない。開口部のないソケット構造であってよい。例えば電線導出部と挿入孔のほかは全面が壁面で覆われた構造であってよい。
【００１６】
より好適なコネクタ構造は、（３）カバーハウジングに備わるソケット保持手段、及び対応するソケットに備わる保持手段が係合片で構成され、ソケットの係合片とカバーハウジングの係合片とが係止姿勢を構成してソケットが保持されることを特徴とする。
【００１７】
（３）の発明によれば、カバーハウジングに備わるソケット保持手段、及び対応するソケットに備わる保持手段が係合片で構成されているので、保持操作が容易におこなえると共に、保持姿勢を確実に固定できる。また解除は係合片を弾性変形させておこなうのでソケットを分離することも容易である。
【００１８】
しかし、本発明はソケット保持手段を係合片で構成されたものに限定するものではない。他の構成によるものであってよい。例えば、カバーハウジングとソケットの双方に磁石を組み込み、磁力で保持する仕組みであってよい。また機械式ではソケットをカバーハウジングの所定の位置でスライドさせて組み込むスライド構造をとる方式や、ソケットを９０度から１８０度の範囲で回転させてカバーハウジングの所定の位置に組み込む回転方式であってよい。
【００１９】
より好適なコネクタ構造は、（４）ソケット保持手段が受け部に備わっていることを特徴とする。
【００２０】
（４）の発明によれば、ソケット保持手段が受け部に備わったコネクタ構造なので、ソケットを受け部で受け入れる作業と、ソケットをソケット保持手段で保持する作業とが連続した動作内でおこないうる。
【００２１】
より好適なコネクタ構造は、（５）軸状の接続部材が周面にタブ端子を接合した構成で、ソケットに収容される接続端子がタブ端子に対応した構成の嵌合部を備えることを特徴とする。
【００２２】
（５）の発明によれば、軸状の接続部材が周面にタブ端子を接合した構成で、ソケットに収容される接続端子がタブ端子に対応した構成の嵌合部を備えるので、接続部材と接続端子の接触圧力が大きく、接触面積も大きいので接続の信頼性の高い接続構造が得られる。
【００２３】
本発明のコネクタの挿抜方法は、（６）軸状の接続部材を接続するためのコネクタの挿抜方法において、ソケットハウジングと、このソケットハウジングに収容された一端で電線に連結した接続端子とを有するソケットと、このソケットを着脱可能に保持するカバーハウジングとを備え、前記ソケットハウジングは一面に挿入孔と、前記接続端子を収容する端子収容室とを備えた箱体で、前記カバーハウジングは、前記ソケットの嵌合面を前記接続部材に向けて、ソケットの挿入孔の中心が接続部材の軸芯に一致する姿勢でソケットを位置決めするための受け部と、前記受け部で位置決めされた姿勢でソケットを着脱可能に保持するためのソケット保持手段とを含み、前記ソケットは少なくとも一つの側面には前記ソケット保持手段と協働する保持手段を備え、挿抜作業のうち一方の作業の際、複数のソケットをカバーハウジングの受け部で位置決めするステップと、その姿勢でソケット保持手段で保持するステップとで、複数のソケットを一体的に操作し、他方の作業の際、複数のソケットをカバーハウジングの受け部から分離するステップで、ソケット単体で操作することを特徴とする。
【００２４】
（６）の発明によれば、コネクタの挿抜方法は、挿抜作業のうち一方の作業の際、複数のソケットをカバーハウジングの受け部で位置決めするステップと、その姿勢でソケット保持手段で保持するステップで、複数のソケットを一体的に操作し、他方の作業の際、複数のソケットをカバーハウジングのソケット受け部から分離するステップで、ソケット単体で操作するので、状況に応じてソケットを一体的に作業する方法をとることも、ソケットを分離してソケット単体で作業する方法をとることもできる。
【００２５】
より好適なコネクタの挿抜方法は、挿入作業の際ソケットを一体的に操作し、抜去作業の際ソケットを分離して操作することを特徴とする。
【００２６】
（７）の発明によれば、挿入作業の際ソケットを一体的に操作し、抜去作業の際ソケットを分離して操作するので、挿入力が比較的小さい挿入時には一体化によって作業効率の向上を優先させることができ、抜去力が比較的大きい抜去時には分離によって個々の作業負担の軽減を優先させることができる。
【発明の効果】
【００２７】
本発明のコネクタによると、カバーハウジングはソケットを着脱自在に保持するので、挿抜作業のうち一方の作業の際にはソケットを保持して一体的作業を可能にし、他方の作業の際にはソケットを分離してソケット単体の作業を可能にする。その結果、たとえば挿入力が比較的小さく力を加える姿勢がとりやすい挿入時には一体化によって作業効率の向上を優先させることができ、抜去力が比較的大きく力を加える姿勢がとりにくい抜去時には分離によって個々の作業負担の軽減を優先させることができる。
【図面の簡単な説明】
【００２８】
【図１】本発明の実施の形態に係るコネクタの外観斜視図である。
【図２】コネクタの分解図及び組み立て図であって、（Ａ）は分解斜視図、（Ｂ）は組み立て図である。
【図３】コネクタとクラスターピンとの挿抜状態を示す外観斜視図であって、（Ａ）は抜去状態の外観斜視図、（Ｂ）は挿入状態の外観斜視図、（Ｃ）はカバーハウジングを分離した状態の外観斜視図である。
【図４】本発明の実施の形態に係るソケットハウジングに接続端子を組み込んだ状態の外観斜視図である。
【図５】ソケットハウジングの詳細図であって、（Ａ）は斜視図、（Ｂ）は上面図、（Ｃ）は側面図、（Ｄ）は下面図である。
【図６】ソケットハウジングの断面図であって、（Ａ）は図５（Ｂ）の６Ａ−６Ａの断面図、（Ｂ）は図５（Ｂ）の６Ｂ−６Ｂの断面図である。
【図７】本発明の実施の形態に係る電線に接続した接続端子であって、（Ａ）は外観斜視図、（Ｂ）は下面図である。
【図８】カバーハウジングの詳細図であって、（Ａ）は下面図、（Ｂ）は図８（Ａ）の８Ｂ−８Ｂ断面図、（Ｃ）は図８（Ａ）の８Ｃ−８Ｃ断面図である。
【図９】本発明の極数のバリエーションを示す他の実施形態の外観斜視図であって、（Ａ）は３極で電線が放射線状に導出される場合、（Ｂ）は４極の場合、（Ｃ）は２極の場合である。
【図１０】本発明の接続端子のバリエーションを示す他の実施形態の外観斜視図であって、（Ａ）は挿抜方向に沿う方向に電線を導出する接続端子の外観斜視図、（Ｂ）は（Ａ）の接続端子を組み込んだソケットの外観斜視図、（Ｃ）は（Ｂ）のソケットをカバーハウジングにホールドしたコネクタの外観斜視図である。
【図１１】本発明の接続端子のバリエーションを示す他の実施形態の外観斜視図であって、（Ａ）はタブ端子用接続端子の外観斜視図、（Ｂ）は（Ａ）の接続端子を組み込んだソケットの外観斜視図、（Ｃ）は（Ｂ）のソケットをカバーハウジングにホールドしたコネクタの外観斜視図である。
【図１２】タブ端子用接続端子を組み込んだコネクタとタブ端子を取り付けたクラスターピンの外観斜視図である。
【図１３】タブ端子用接続端子を組み込んで、電線を一方向に導出したコネクタの外観図であって、（Ａ）はコネクタの斜視図、（Ｂ）はコネクタとクラスターピンの斜視図である。
【図１４】本発明のその他の実施形態を示す外観斜視図である。（Ａ）はソケット保持手段に磁力を利用する場合、（Ｂ）はソケット保持手段がスライド方式である場合、（Ｃ）はソケット保持手段が回転方式である場合である。
【発明を実施するための形態】
【００２９】
以下、本発明の実施の形態について、添付図面に基づき詳細に説明する。
【００３０】
〔コネクタの構成〕
図１は本発明の実施の形態に係るコネクタの外観斜視図、図２はコネクタの分解組み立て図であって、（Ａ）は分解斜視図、（Ｂ）は組み立て図である。図１及び図２に示されるように、コネクタＣは複数（嵌め合うクラスターピンＰの個数分；本実施の形態の場合は３個）のソケットＳと、ソケットＳを挿抜方向に揃えて保持するカバーハウジング１とを備える。ソケットＳは絶縁性の合成樹脂素材からなるソケットハウジング２を備え、内部に金属材料からなる接続端子３を収容する。接続端子３はバネ部３２でもって嵌合したクラスターピンＰの周面との間で電気的機械的接点を形成する。本実施の形態では、ソケットＳは１個のクラスターピンＰに対応するように１個の接続端子３を収容した構成であるが、本発明はソケットＳの構成をこの場合に限定するものではなく、ソケットＳが２個のクラスターピンＰに対応するように２個の接続端子３を収容する構成をとっていてもよい。
【００３１】
〔クラスターピン〕
クラスターピンＰは筒状体のコンプレッサー４の端面に備わる台座５に穿たれた貫通孔に植設されている。貫通孔は３個備わり３個は正三角形の頂点の位置に夫々配置されている。クラスターピンＰはコンプレッサー４内部でモーターＭに電線Ｗで繋がり、外部からモーターＭへ電力を供給するためのターミナルとして機能する。
【００３２】
〔ソケットの構成〕
図４は本発明の実施の形態に係るソケットハウジングに接続端子を組み込んだ状態の外観斜視図、図５はソケットハウジングの詳細図であって、（Ａ）は斜視図、（Ｂ）は上面図、（Ｃ）は側面図、（Ｄ）は下面図である。図６はソケットハウジングの断面図であって、（Ａ）は図５（Ｂ）の６Ａ−６Ａの断面図、（Ｂ）は図５（Ｂ）の６Ｂ−６Ｂの断面図である。図４から図６に示されるように、ソケットＳはソケットハウジング２と接続端子３とを備える。ソケットハウジング２は蓋のない略箱体で、周囲６面は前壁２０、後壁２１、外側壁２２、内側壁２３、底壁２４、及び端子収容口２８ａで構成されている。内部には接続端子３を収容するための端子収容室２８を備えている。端子収容室２８は上方に端子収容口２８ａ及び前方に電線受け口２７ａの二つの開口部を備えている。電線受け口２７ａは電線受け部２７の前方端部に形成されている。電線受け部２７は前壁２０の上方に位置する前方にやや出っ張った部分である。接続端子３は端子収容室２８に収まり電線Ｗとの接続部の前部が電線受け部２７で支持されている。ここで説明中の方向を規定しておく、図４において電線の導出方向を前方、反対方向を後方、前後方向に沿って後方に向かって右側を右方、反対側を左方、前後方向及び左右方向に直交する上側を上方、反対側を下方とする。
【００３３】
〔接続端子の構成  １〕
図７は本発明の実施の形態に係る電線の終端に接続した接続端子の外観斜視図で、（Ａ）は外観斜視図、（Ｂ）は下面図である。図７に示されるように、接続端子３は展開形状に切り出された金属板に所定の曲げや切欠きが施されて所望の形が造られる。接続端子３に用いられる金属素材は良導電性と高いバネ特性が要求されるので、りん青銅や無酸素銅等の銅合金から選択されるのが一般的である。金属素材は耐候性を改善するため表面に錫めっき等の表面処理がなされている。接続端子３は対応するクラスターピンに着脱可能に接続する嵌合部３０と、電線Ｗの終端に電気的機械的に接続する圧着部３４とを備えている。電線Ｗは嵌合方向と直交する水平方向に沿って導出されている。電線Ｗは導電性のより線を絶縁性素材で被覆した構成で、終端の絶縁被覆部分が毟り取られ必要量のより線が露出した状態で接続端子３に接続されている。より線部分は圧着部３４のワイヤバレル３６に圧着接続され、被覆部分はインシュレーションバレル３５で固定されている。ここで説明中の方向について規定しておく。図７で電線の導出方向を前方、反対方向を後方、前後方向に沿って後側に向かって右側を右方、反対側を左方、前後方向及び左右方向に直交する上側を上方、反対側を下方とする。
【００３４】
〔接続端子の構成  ２〕
接続端子３の嵌合部３０は底部３０ａを共通にし前後に離間して並設された二つの筒部３１を備えている。二つの筒部３１は共に底部３０ａの左右側面から延出した翼部で構成されている。底部３０ａの左右翼部は所定の間隔をあけて内向きに９０度の曲げ加工が２回おこなわれ先端部は天部で出会う。前後二つの筒部３１共このようにして形成されている。筒部３１の電線導出方向に沿った垂直断面形状は中空の四角形である。底部３０ａを共通にして嵌合部３０に備わった前後二つの筒部３１共、左右側面３１ａ、３１ａには係合片３３が形成されている。係合片３３は接続端子３がソケットハウジング２の端子収容室２８に収容された際、接続端子３がソケットハウジング２に係止されるためのコの字状切片である。
【００３５】
〔接続端子の構成  ３〕
底部３０ａに離間して並設された二つの筒部３１、３１の間にはバネ部３２が備わる。バネ部３２は嵌合されたクラスターピンＰの周面に半径方向に沿ってバネ片を弾接させて電気的機械的接点を形成する部分である。バネ部３２は底部３０ａと、底部３０ａの左右側面から翼状に延出する一対のバネ片３２ａ、３２ａとを備える。一対のバネ片３２ａ、３２ａは底部３０ａの左右側面を基端部にし対向して上方向に起立した接触片である。一対のバネ片３２ａ、３２ａは基端部から上方向に伸び中央部あたりから内方向に屈曲し、その先の上位置で湾曲部３２ｂの凸部を対向させている。湾曲部３２ｂの凸部の頂点には接点部３２ｃが形成されている。
【００３６】
〔接続端子の構成  ４〕
対向するバネ片３２ａ、３２ａの間にバネ片の起立方向に沿って挿入されたクラスターピンＰを半径方向に沿って挟持することで接続端子３とクラスターピンＰとの間で電気的機械的接点が形成される。対向するバネ片３２ａ、３２ａが位置する間の底部３０ａにはクラスターピンＰが挿入されるための挿入孔３７が穿たれている。本実施形態の接続端子３は嵌合方向に直交する方向に沿って電線Ｗを導出し、一対のバネ片３２ａ、３２ａによって対向する２方向からクラスターピンＰの半径方向に沿って接圧を加えている。
【００３７】
〔接続端子のソケットハウジングへの収容〕
図４は本発明の実施の形態に係るソケットハウジングに接続端子を組み込んだ状態の外観斜視図である。図４に示されるように、電線Ｗの終端に連結された接続端子３は電線Ｗが水平方向に沿って電線受け口２７ａから導出されるようにして、挿入孔３７が備わる底部３０ａを下に向けた姿勢でソケットハウジング２の端子収容室２８に収容されている。このとき電線Ｗの終端に連結した圧着部３４の一部は電線受け部２７に支持されている。正しい姿勢で組み付けられた嵌合部３０の左右側面３１ａ、３１ａの前後夫々に備わる合計４個の係合片３３はソケットハウジング２の外内側壁２２及び２３の内面の係止溝２９に弾接して係止する。係止状態で接続端子３は前後、左右および上下方向の動きが規制され、端子収容室２８の所定位置で着脱可能に固定されている。ここで説明中の方向は図４の図中に示した方向の通りである。
【００３８】
〔ソケットハウジングの構成  全体  端子収容室〕
図５はソケットハウジングの詳細図であって、（Ａ）は斜視図、（Ｂ）は上面図、（Ｃ）は側面図、（Ｄ）は下面図、図６はソケットハウジングの断面図であって、（Ａ）は図５（Ｂ）の６Ａ−６Ａの断面図、（Ｂ）は図５（Ｂ）の６Ｂ−６Ｂの断面図である。図５及び図６に示されるように、ソケットハウジング２は絶縁性の合成樹脂素材からなる、外観略箱体の成形品である。ソケットハウジング２はやや肉厚の底壁２４、外側壁２２、内側壁２３、前壁２０及び後壁２１で区画された端子収容室２８を備えるとともに、上方に端子収容口２８ａ、前方に電線受け口２７ａの二つの開口部を備えている。端子収容室２８は接続端子３の嵌合部３０を収容する空間で、外側壁２２、内側壁２３によって規制される幅方向は嵌合部３０の幅寸法を基準に定められ、外側壁２２、内側壁２３及び後壁２１によって規制される高さ方向は嵌合部３０の高さ寸法を基準に定められる。また端子収容室２８の長手方向は嵌合部３０の長手方向の寸法に比べて電線受け部２７の出っ張り相当分だけやや長めである。このように寸法規定された端子収容室２８に接続端子３が収まると、嵌合部３０は高さ方向の上辺部分を壁面から露出させた姿勢で他の部分は外側壁２２、内側壁２３及び後壁２１で囲われている。ここで説明中の方向を規定しておくと、図５（Ａ）で端子収容室の長手方向を前後方向とし電線の導出方向を前方、反対方向を後方とする。また前後方向に沿って前方から後方に向かって右側を右方、反対方向を左方とする。高さ方向は前後方向及び水平方向に直交する上下方向である。
【００３９】
〔ソケットハウジングの構成  挿入孔〕
ソケットハウジング２の底壁２４の中央付近には対応クラスターピンＰの挿抜用の挿入孔２４が穿たれている。挿入孔２４の中心は端子収容室２８に収容された接続端子３の底部３０ａに穿たれた挿入孔３７の中心と一致し、孔円同士が重なり合う位置に形成された貫通孔である。挿入の際対応クラスターピンは挿入孔２４及び挿入孔３７を通って接続端子の嵌合部に出合う。挿入孔２４及び３７の夫々の孔円は中心を共通にするとともに、クラスターピンの直径よりも大きめの直径を備えることで、クラスターピンの挿入を円滑にしている。
【００４０】
〔ソケットハウジングの構成  電線受け部〕
ソケットハウジング２の前方に備わる電線受け部２７は端子収容室２８の底壁２４および外内両側壁２２及び２３の前端が夫々所定量前方に延伸したもので、端子収容室２８を構成する壁面がそのまま前方に延長し、端面が電線受け口２７ａの開口部で終わる構造である。電線受け部２７は接続端子３と電線Ｗとの圧着部３４の付け根部を下方から支持して接続部に係るストレスを緩和する。
【００４１】
〔ソケットハウジングの構成  係合溝〕
ソケットハウジング２の外側壁２２、内側壁２３の内面には係止溝２９が備わっている。係止溝２９は接続端子３の嵌合部３０を構成する前後二つの筒部３１、３１の両側面３１ａ、３１ａに備わった係合片３３に係止して接続端子３を端子収容室２８に固定するものである。係止溝２９は正面視矩形状で表面から一段低くなった段差構造である。係合溝２９のこの段差に係合片３３の先端が弾接することで接続端子３の動きが規制されている。
【００４２】
〔ソケットハウジングの構成  係合突起〕
外側壁２２には上縁中央部に係合突起２６ａと、係合突起２６ａを挟んで上縁の両端には凸状の案内部２５ａ、２５ａとが備わる。係合突起２６ａは正面視矩形状で上辺角部にテーパー面を有する。係合突起２６ａはカバーハウジング１の受け部１１の外側壁１６に備わる外係合片１３と係合する。両案内部２５ａ、２５ａが対向する上辺角部にはテーパー面が備わる。案内部２５ａ、２５ａはソケットＳをカバーハウジング１に取り付ける際に取り付け方向を案内するものである。またソケットハウジング２の内側壁２３には上縁中央部に凸状の案内部２５ｂと、案内部を挟んで内側壁２３の上縁の両端には係合突起２６ｂ、２６ｂとが備わる。係合突起２６ｂは正面視矩形状で上辺角部にテーパー面を有する。係合突起２６ｂは２個備わり、カバーハウジング１の受け部１１の内側壁１７に備わる内係合片１４、１４と係合する。案内部２５ｂはソケットＳをカバーハウジング１に取り付ける際に取り付け方向を案内するものである。
【００４３】
〔カバーハウジングの構成  １〕
図２はコネクタの分解図及び組み立て図であって、（Ａ）は分解斜視図、（Ｂ）は組み立て図であり、図８はカバーハウジングの詳細図であって、（Ａ）は下面図、（Ｂ）は図８（Ａ）の８Ｂ−８Ｂ断面図、（Ｃ）は図８（Ａ）の８Ｃ−８Ｃ断面図である。図２及び図８に示されるように、カバーハウジング１は絶縁性の合成樹脂素材からなる成形品である。カバーハウジング１は天板１０を備えている。天板１０は正三角形の平板部１０ａと、正三角形の各辺から同一平面上を鉛直方向に張り出した矩形状部１０ｂとを備えている。
【００４４】
〔カバーハウジングの構成  ２〕
カバーハウジング１の天板１０の矩形状部１０ｂにはソケットＳを所定の位置に受け入れるための受け部１１と、受け入れたソケットＳをその位置で着脱可能に保持するためのソケット保持手段とが備わっている。
【００４５】
〔カバーハウジングの構成  ３〕
ソケットＳを受け入れる配置及び姿勢は規定されている。カバーハウジング１を嵌合姿勢に（ソケット受け入面を下方に向けて）置いたときクラスターピンＰに対応する正三角形の夫々の頂点の位置にソケットＳの挿入孔２４ａの中心が重なるようにソケットＳを受け入れる。本実施の形態では３個のソケットＳを同心円状に等角度（１２０度）で接線方向に配置した姿勢で受け入れる。カバーハウジング１はソケットＳの端子収容口２８ａに蓋をする格好でソケットＳを受け入れる。このとき電線Ｗが同じく接線方向に沿って同一回転方向に導出されるようにソケットＳの向きを合わせる。
【００４６】
〔カバーハウジングの構成  ４〕
本発明の受け部１１は、カバーハウジング１を嵌合姿勢に（受け部を下方に向けて）置いたときクラスターピンＰの中心に対応する位置にソケットＳの挿入孔２４ａの中心が重なるように夫々のソケットＳを位置決めして受け入れる。本実施形態の受け部１１は上壁１５、外壁１６、内壁１７、後壁１８、前壁１９、及び受け口１１ａからなる。受け部１１はソケットハウジング２の端子収容口２８ａに蓋をするような姿勢でソケットＳに被さる。このときソケットハウジング２の外内側壁２２及び２３及び後壁２１の上縁から僅かに露出していた嵌合部３０の上辺は受け部１１の窪みにすっきりと収まる。ここで本実施形態ではソケットハウジングは上面に開口部を有するが、本発明はこれに限定するものではなく、ソケット自体が蓋状のものを備えていてもよい。
【００４７】
〔カバーハウジングの構成  ５〕
本発明のソケット保持手段は、受け部１１で受け入れて位置決めしたその場所でソケットＳを着脱可能に保持する装置である。本実施形態のソケット保持手段は受け部１１を構成する外側壁１６に備わる外係合片１３と、同じく内側壁１７に備わる内係合片１４、１４とを構成に含む。外係合片１３は窓部１３ａを備えた片持ち梁である。窓部１３ａで対応するソケットＳの外側壁２２の係合突起２６ａと係止する。内係合片１４は２個並置され先端に内向きの突起部１４ａを備えた片持ち梁である。突起部１４ａ、１４ａで対応するソケットＳの内側壁２３の外向きに突起部を備えた係合突起２６ｂ、２６ｂと係止する。このようにソケットＳの外内側面２２及び２３に係止してカバーハウジング１はソケットＳを保持する。本実施形態のソケット保持手段は係合片或いは係合突起の係止手段によるものであるが、本発明はソケット保持手段をこのような係止手段に限定するものではない。例えば図１４に示すように（Ａ）磁力で保持する保持手段、（Ｂ）ソケットをカバーハウジングにスライドさせて保持する保持手段、（Ｃ）ソケットを９０度回転させてカバーハウジングに保持する保持手段であってよい。またその他の周知、慣用技術を適用した保持手段を用いてもよい。
【００４８】
〔ソケット受け入動作〕
図２はコネクタの分解図及び組み立て図であって、（Ａ）は分解斜視図、（Ｂ）は組み立て図である。図２に示されるように、ソケットＳの開口部（端子収容口２８ａ）を覆うような姿勢でカバーハウジング１はソケットＳに対向する。カバーハウジング１に対するソケットＳの配置場所はカバーハウジング１に備わる受け部１１の位置で規定されている。受け部１１は対応するクラスターピンＰの中心位置に挿入孔２４ａの中心が重なるようにソケットＳを位置決めして受け入れる。天板１０には３個の矩形状部１０ｂが備わり、夫々の矩形状部１０ｂに受け部１１を備える。本実施の形態の場合、３個のソケットが対応するクラスターピンＰの中心位置に挿入孔２４ａの中心が重なるように受け入れられている。
【００４９】
〔ソケット保持動作  １〕
ソケット保持手段はカバーハウジング１に備わる係合手段と、ソケットハウジング２に備わる係合手段とで構成される。本実施形態の場合、詳しくはカバーハウジング１の受け部１１の外側壁１６に備わる外係合片１３、及び内側壁１７に２個並置して備わる内係合片１４、１４と、対応するソケットハウジングＳの外側壁２２に備わる係合突起２６ａ、及び内側壁２３に備わる係合突起２６ｂ、２６ｂとの係止構造による。図２に沿って係止過程を説明すると、受け部１１を上に向けた姿勢のカバーハウジング１に対して端子収容口２８ａを下に向けた姿勢のソケットＳを対向させる。このとき電線Ｗの導出方向に留意する。この姿勢のままソケットＳをカバーハウジング１の受け部１１に近づけてソケットハウジング２の外内側壁２２及び２３に備わる案内部２５ａ及び２５ｂ、２５ｂに受け部１１の外側壁１６に備わる外係合片１３及び内側壁１７に備わる内係合片１４、１４を当接させる。当たりを感じたら案内に従ってソケットＳの位置を修正しながら進行方向に沿って押し進める。係合片が夫々に備わる係合突起を乗り越えて平常状態で係止姿勢を構成したところでソケットＳのカバーハウジング１への保持動作は終了する。
【００５０】
〔ソケット保持動作  ２〕
ソケットＳがカバーハウジング１に保持されると金属製の接続端子３は周囲を合成樹脂製のソケットハウジング２及びカバーハウジング１で囲われた状態になり、嵌合部３０への外部からの水滴や異物の進入が効果的に遮断される。カバーハウジング１に保持された状態でソケットＳは前後、左右、及び上下方向の動きが規制され３個のソケットＳは一体的に纏まりを持って機能する。
【００５１】
〔コネクタの挿入作業  １〕
図１は本発明の実施の形態に係るコネクタの外観斜視図であり、図３はコネクタとクラスターピンとの挿抜状態を示す外観斜視図であって、（Ａ）は抜去状態の外観斜視図、（Ｂ）は挿入状態の外観斜視図、（Ｃ）はカバーハウジングを分離した状態の外観斜視図である。図１及び図３に示されるように、コネクタＣは１個の接続端子３を収容したソケットＳを３個保持している。コネクタＣは正三角形の頂点の位置にある３個のクラスターピンＰに対して挿抜可能に嵌合する。挿入作業は保持する３個のソケットＳを一体的におこなうので、１回の挿入動作で３個のクラスターピンＰ夫々にソケットＳが挿入される。
【００５２】
〔コネクタの挿入作業  ２〕
挿入作業は正三角形の頂点の位置にある３個のクラスターピンＰにコネクタＣの挿入孔２４ａを対応させ、その位置からコネクタＣを降下させてクラスターピンＰの先端をソケット底壁２４の挿入孔２４ａに案内しそのまま押切位置まで挿入する。突き当たり感を覚えたところが正規嵌合姿勢である。クラスターピンＰの周面に半径方向に沿って対向する接続端子３の一対のバネ片３２ａ、３２ａが弾接し接点が構成される。クラスターピンＰとコネクタＣが嵌合した状態で電線Ｗは嵌合方向に直交する方向に沿って導出されている。
【００５３】
〔コネクタの抜去作業〕
図３はコネクタとクラスターピンとの挿抜状態を示す外観斜視図であって、（Ａ）は抜去状態の外観斜視図、（Ｂ）は挿入状態の外観斜視図、（Ｃ）はカバーハウジングを分離した状態の外観斜視図である。図３に示されるように、ソケットＳは単体でもコネクタとして機能するので、ソケット単体でクラスターピンＰに挿抜可能である。保守点検時におこなわれるクラスターピンＰからのコネクタＣの抜去作業は、抜去力が大きい上に抜去姿勢が比較的とりづらいこともあり、カバーハウジング１を取り外してソケットＳ単体でおこなう方法が適している。
【００５４】
〔コネクタの抜去作業  係合解除方法〕
コネクタＣからカバーハウジング１の取り外しはカバーハウジング１とソケットＳとの係合状態を解除する方法（係合解除方法）による。ソケットＳ及びカバーハウジング１は夫々外側壁２２及び１６と、内側壁２３及び１７に係合手段を備えている。解除手順は最初に外側壁２２及び１６の係止状態を解除し、次いで若干持ち上げ気味でカバーハウジング１を内方向にずらして内側壁２３及び１７の係止状態を解除する。２方面の係止状態が解除されたソケットＳはカバーハウジング１から分離されている。３個のソケットＳの係止状態を順次解除してソケットＳからカバーハウジング１を取り外すと、ソケットＳ単体がクラスターピンＰに嵌合した状態が現れる。上述したようにソケットＳは単体でコネクタとして機能し、挿抜もソケットＳ単体でおこないうる。ソケットＳの引き抜きはソケットハウジング２の外内側面２２及び２３を両側から把持し、そのままの姿勢で上方に引き上げるようにしておこなう。
【００５５】
〔コネクタの抜去作業  折損解除方法〕
コネクタＣからカバーハウジング１を取り外す際、カバーハウジング１の外側壁１６に備わる外係合片１３を付け根部分から折る方法（折損解除方法）で係合状態を解除してもよい。折損解除方法では、上述した外側壁２２及び１６の係合状態を解除したあとで「若干持ち上げ気味でカバーハウジング１を内方向にずらして」内側壁２３及び１７の係合状態を解除するという一連の作業中の細やかな作業部分が省略される。折損解除方法をとった場合、次にコネクタＣを挿入する際には新規のカバーハウジング１を使用することとなる。
【００５６】
上述したように本発明は単体でもコネクタとして機能するソケットを状況に応じて、複数個をまとめて一体的に扱うことも、単体で扱うこともできるコネクタに関するものである。本発明のコネクタは受け部及びソケット保持手段を備えたカバーハウジングを有している。カバーハウジングは複数のソケットを規定された位置に受け入れて、その位置でソケットを着脱自在に固定する。このようなカバーハウジングを備えることでコネクタは、状況に応じて一体的に作業する場合と、分離して作業する場合を自由に選択できる。複数の作業を１回で済ませることを優先させる場合にはソケットをまとめて取り扱うことができ、作業回数を増やしてでも単体での作業を優先させる場合にはソケットを分離して取り扱うことができる。
【００５７】
〔本実施形態の効果〕
（１）本実施形態のコネクタはカバーハウジングによって１個の接続端子を収容した３個のソケットを一体的に保持して、植設された３個のクラスターピンへの挿入作業を一気におこなうことができるので、繰り返し作業を要する挿入作業の効率化を図ることができる。
（２）本実施形態のコネクタはカバーハウジングによって１個の接続端子を収容した３個のソケットを一体的に保持して、植設された３個のクラスターピンからの抜去作業を一気におこなうことができるので、保守点検時の作業の効率化を図ることができる。
（３）本実施形態のコネクタはカバーハウジングに保持されて一体となったソケットを、カバーハウジングから分離することができるので、クラスターピンからコネクタを抜去する際に負担を軽減したソケット単体の抜去作業ができる。
（４）本実施形態のコネクタはカバーハウジングとソケットを分離する際、カバーハウジングとソケット間の係合片同士の係止状態を解除することで容易に分離できる。
（５）本実施形態のコネクタはカバーハウジングとソケットを分離する際、カバーハウジングの外係合片を折損することでソケットを容易に分離できる。
（６）本実施形態のコネクタは既存のソケットをそのままか、或いは多少の追加工を施すことで利用できるので、生産コストの負担を軽減して実施することができる。
（７）本実施形態のコネクタは挿抜方向と直交する方向に沿って電線が導出されているので、挿抜方向に沿って空間的余裕のない箇所のコネクタとして好適である。
【００５８】
〔実施例；極数バリエーション〕
図９は本実施形態の極数のバリエーションを示す他の実施例の外観斜視図であって、（Ａ）は３極で電線が放射線状に導出される場合、（Ｂ）は４極の場合、（Ｃ）は２極の場合である。なお重複説明を避けるため上述した実施形態に対して相違する部分についてのみ説明する。また符号も変化のあった構成についてのみ新たな符号をつける。図９に示されるように、（Ａ）は略３角形の天板２１０を有するカバーハウジング２０１に３角形の頂点位置に電線Ｗが放射線状に導出されるように３個のソケットＳを配置した構成のコネクタＣ２である。天板２１０の受け部２１１には外係合片２１３及び内係合片２１４、２１４が備わり、ソケットＳを保持する。（Ｂ）は略４角形の天板３１０を有するカバーハウジング３０１の夫々の角部に電線Ｗが放射線状に導出されるように４個のソケットＳを配置した構成のコネクタＣ３である。天板３１０の受け部３１１には外係合片３１３及び内係合片３１４、３１４が備わり、ソケットＳを保持する。（Ｃ）は矩形状の天板７１０を有するカバーハウジング７０１に２個のソケットＳを並置し電線Ｗを同一方向に導出した構成のコネクタＣ７である。天板７１０の受け部７１１には外係合片７１３及び内係合片７１４、７１４が備わり、ソケットＳを保持する。このように構成した場合でも概ね上記（１）から（７）の効果を奏しうる。
【００５９】
〔実施例；他の端子構造〕
図１０は本実施形態の接続端子のバリエーションを示す他の実施例の外観斜視図であって、（Ａ）は挿抜方向に沿う方向に電線を導出する接続端子の外観斜視図、（Ｂ）は（Ａ）の接続端子を組み込んだソケットの外観斜視図、（Ｃ）は（Ｂ）のソケットをカバーハウジングに保持したコネクタの外観斜視図である。図１０に示されるように、嵌合部４３０は筒部４３１を有し、筒部４３１の先端部から延伸した底面に連なる切片を筒部の奥方向に折り返して構成したバネ部４３２を備える。対応コンタクトは筒部４３１の先端口から筒部内に進入し筒部４３１の長手方向に沿う方向に挿入されて嵌合姿勢を構成する。電線Ｗは挿入方向に沿って導出されている。ソケットハウジング４０２には接続端子４０３の筒部４３１を収容する端子収容室４２８が備わる。接続端子４０３の嵌合部４３０は端子収容室４２８に先端を下向きにして収容されている。嵌合部４３０の側面と、端子収容室４２８の壁面との対応する部分には互いに係合手段が備わって収容された接続端子４０３は端子収容室４２８に着脱可能に固定されている。電線ＷはソケットＳ４上面中央付近から上方向に導出されている。カバーハウジング４０１は天板４１０を有している。天板４１０は正三角形の平板部と、正三角形の各辺から同一平面上を鉛直方向に張り出した矩形状部とを備えている。天板４１０に備わる３個の矩形状部には受け部４１１と、ソケット保持手段とが備わる。受け部４１１でソケットＳ４は上面をカバー面にして保持される。ソケットＳ４とカバーハウジング４０１とは双方に備わる係合手段によって着脱可能に保持されている。電線Ｗは上方向に導出されている。このように構成した場合でも概ね上記（１）から（６）の効果を奏しうる。
【００６０】
〔実施例；他の端子構造〕
図１１は本実施形態の接続端子のバリエーションを示す他の実施例の外観斜視図であって、（Ａ）はタブ端子用接続端子の外観斜視図、（Ｂ）は（Ａ）の接続端子を組み込んだソケットの外観斜視図、（Ｃ）は（Ｂ）のソケットをカバーハウジングに保持したコネクタの外観斜視図である。図１１に示されるように、接続端子５０３はタブ端子６との嵌合を予定したバネ部５３２を両端に備えた圧着端子である。嵌合部５３０は平板部５３１と、平板部５３１の両側に備わる内向きにカールしたバネ部５３２とからなる。バネ部５３２の先端は平板部５３１の手前で終わり、平板部５３１との間で隙間を形成する。この隙間で対応するタブ端子６を挟持する。平板部５３１の裏側には係合突起５３３が形成されていて、ソケットハウジング５０２に収容された際、端子収容室５２８の対応する係合手段と係合する。接続端子５０３の圧着部５３４は嵌合部５３０の後方に備わり、インシュレーションバレル５３５及びワイヤバレル５３６で電線Ｗに電気的機械的に接続する。電線Ｗは嵌合方向に直交する方向に沿って導出されている。電線Ｗに連結した接続端子５０３はソケットハウジング５０２の端子収容室５２８に収容される。端子収容室内の壁面に備わる係止溝と接続端子５０３に備わる係合突起５３３とが係合して接続端子５０３はソケットハウジング５０２に着脱可能に固定されている。ソケットハウジング５０２に収まった接続端子５０３は圧着部５３４をソケットハウジング上端から露出させている。電線Ｗはソケットハウジング５０２の上端に接するように電線受け部５２７で支持されて嵌合方向と直交する方向に沿って導出されている。カバーハウジング５０１は天板５１０を有している。天板５１０は正三角形の平板部と、正三角形の各辺から同一平面上を鉛直方向に張り出した矩形状部とを備えている。天板５１０に備わる３個の矩形状部には受け部５１１と、ソケット保持手段とが備わる。カバーハウジング５０１はソケットハウジング５０２の上面を覆うようにしてソケットＳ５を受ける受け部５１１を備える。ソケットＳ５とカバーハウジング５０１とは双方に備わる係合手段によって着脱可能に保持されている。電線Ｗは嵌合方向に直交する方向に沿って導出されている。このように構成した場合でも概ね上記（１）から（７）の効果を奏しうる。
【００６１】
図１２はタブ端子用接続端子を組み込んだコネクタと、タブ端子を取り付けたクラスターピンとの外観斜視図である。図１２に示されるように、クラスターピンＰには周面の上部にタブ端子６が接合されている。タブ端子６は正面視略矩形状で嵌合方向の先端にはテーパー面を有し、平面部中央には貫通孔を備えている。上記接続端子５０３を収容したソケットＳ５を３個組み付けたコネクタＣ５はタブ端子６を接合したクラスターピンＰと挿抜可能に嵌合する。
【００６２】
〔その他の実施例〕
図１３はタブ端子対応の接続端子を組み込んで、電線を一方向に導出したコネクタの外観図であって、（Ａ）はコネクタの斜視図、（Ｂ）はコネクタとクラスターピンの斜視図である。図１３に示されるように、３個のソケットＳ５を保持するカバーハウジング６０１である。ソケットＳ５は２段に分かれて同じ方向に整列している。対応するクラスターピンＰは３角形の頂点に位置し、タブ端子６の接合方向は夫々が平行方向に沿っていて、ソケットＳ５の配置方向に一致している。電線Ｗは嵌合方向に直交する方向に沿って導出され、３本の電線Ｗの方向が統一されている。このように構成した場合でも概ね上記（１）から（７）の効果を奏しうる。
【００６３】
〔その他の実施形態〕
図１４は上述した実施形態とは相違するソケット保持手段を備えた他の実施形態を示す外観斜視図である。（Ａ）はソケット保持手段に磁力を利用する場合、（Ｂ）はソケット保持手段がスライド方式である場合、（Ｃ）はソケット保持手段が回転方式である場合である。（Ａ）に示されるように、カバーハウジング８０１は磁石を備えている。ソケットＳ８側は対応する磁石を備えてもよいが、本実施の態様では銅合金性の接続端子３の嵌合部３０に磁力を及ぼす構成である。このように構成することでソケットＳ８の保持は確実におこないつつ、分離も容易である。（Ｃ）に示されるように、カバーハウジング９０１はスライド部Ｇ１を備えている。ソケットＳ９側は対応する位置にスライド受け部Ｇ２を備えている。カバーハウジング９０１のスライド部Ｇ１にソケットＳ８のスライド受け部Ｇ２を合せることで確実に保持でき、分離も容易である。（Ｃ）に示されるように、カバーハウジング１００１は回転式のスライド部Ｒ１、Ｒ２を備えている。ソケットＳ９側は対応する位置にスライド受け部Ｒ３、Ｒ４を備えている。ソケットを約９０度回転させることで容易に着脱できる。
【符号の説明】
【００６４】
Ｃ            クラスター用コネクタ
１            カバーハウジング
７            ソケット受け入手段
８            ソケット保持手段
１０          天板
１１          受け部
１１ａ        受け口
１２          電線引出口
１３          外係合片
１３ａ        窓部
１４          内係合片
１４ａ        突起
１５          上壁
１６          外側壁
１７          内側壁
１８          後壁
１９          前壁
Ｓ            ソケット
２            ソケットハウジング
２０          前壁
２１          後壁
２２          外側壁
２３          内側壁
２４          底壁
２４ａ        挿入孔
２５ａ        案内部
２５ｂ        案内部
２６ａ        係合突起
２６ｂ        係合突起
２７          電線受け部
２７ａ        電線受け口
２８          端子収容室
２８ａ        端子収容口
２９          係止溝
３            接続端子
３０          嵌合部
３０          底部
３１          筒部
３１          側面
３２          バネ部
３２ａ        バネ片
３２ｂ        湾曲部
３２ｃ        接点部
３３          係合片
３４          圧着部
３５          インシュレーションバレル
３６          ワイヤバレル
３７          挿入孔
５            台座
４            コンプレッサー
６            タブ端子
Ｗ            電線
Ｍ            モーター
Ｐ            クラスターピン    結構
【図１】
2012028036.tif 000003
【図２】
2012028036.tif 000004
【図３】
2012028036.tif 000005
【図４】
2012028036.tif 000006
【図５】
2012028036.tif 000007
【図６】
2012028036.tif 000008
【図７】
2012028036.tif 000009
【図８】
2012028036.tif 000010
【図９】
2012028036.tif 000011
【図１０】
2012028036.tif 000012
【図１１】
2012028036.tif 000013
【図１２】
2012028036.tif 000014
【図１３】
2012028036.tif 000015
【図１４】
2012028036.tif 000016
【手続補正書】
【提出日】平成22年9月9日(2010.9.9)
【手続補正１】
【補正対象書類名】図面
【補正対象項目名】全図
【補正方法】変更
【補正の内容】
【図１】
2012028036.tif 000017
【図２】
2012028036.tif 000018
【図３】
2012028036.tif 000019
【図４】
2012028036.tif 000020
【図５】
2012028036.tif 000021
【図６】
2012028036.tif 000022
【図７】
2012028036.tif 000023
【図８】
2012028036.tif 000024
【図９】
2012028036.tif 000025
【図１０】
2012028036.tif 000026
【図１１】
2012028036.tif 000027
【図１２】
2012028036.tif 000028
【図１３】
2012028036.tif 000029
【図１４】
2012028036.tif 000030